(57)【要約】【課題】  起動状態、待機状態、ポーズ状態やデータ転送状態などにおいて、ユーザーに支障のない動作中状態でも表示画面は常に一定であるため、省電力として無駄である。また、バッテリーなどを使用する場合はユーザーにとって使用時間などの問題が生じる。  バックライトを備えた表示装置の起動状態、待機状態、ポーズ状態やデータ転送状態においてユーザーに支障のない動作中のバックライト輝度を制御することを可能にする方法を提供する。【解決手段】  バックライトを備えた表示装置を有する電子機器において、起動動作中の起動画面における、起動動作中の動作状況を検出する手段と、前記検出手段に基づき、前記バックライトの輝度を制御する手段とを具備する。【選択図】  図２
2007164080.tif 000002
【特許請求の範囲】
【請求項１】
バックライトを備えた表示装置を有する電子機器において、
起動動作中の起動画面における、起動動作中の動作状況を検出する手段と、前記検出手段に基づき、前記バックライトの輝度を制御する手段とを具備したことを特徴とする電子機器。
【請求項２】
バックライトを備えた表示装置を有する電子機器において、
起動動作中の起動画面における、起動動作中の動作状況を検出する手段と、前記検出手段に基づき、前記バックライトの輝度を段階的に制御する手段と、進行状況の把握をする把握手段とを具備したことを特徴とする電子機器。
【請求項３】
バックライトを備えた表示装置を有する電子機器において、
起動動作中の起動画面における、起動動作中の動作状況を検出する手段と、前記検出手段に基づき、前記バックライトの輝度を制御する手段と、前記バックライトの制御に応じて、映像信号を制御する手段とを具備したことを特徴とする電子機器。
【請求項４】
バックライトを備えた表示装置を有する電子機器において、
メディアへの読み込み待機中の待機画面における、待機動作中の動作状況を検出する手段と、前記検出手段に基づき、前記バックライトの輝度を制御する手段とを具備したことを特徴とする電子機器。
【請求項５】
バックライトを備えた表示装置を有する電子機器において、
メディアへの読み込み待機中の待機画面における、待機動作中の動作状況を検出する手段と、前記検出手段に基づき、前記バックライトの輝度を段階的に制御する手段と、進行状況の把握をする把握手段とを具備したことを特徴とする電子機器。
【請求項６】
バックライトを備えた表示装置を有する電子機器において、
メディアへの読み込み待機中の待機画面における、待機動作中の動作状況を検出する手段と、前記検出手段に基づき、前記バックライトの輝度を制御する手段と、前記バックライトの制御に応じて、映像信号を少なくとも制御する手段とを具備したことを特徴とする電子機器。
【請求項７】
バックライトを備えた表示装置を有する電子機器において、
ポーズ状態や、メディアへの書き込み動作の動作状況を少なくとも検出する手段と、前記検出手段に基づき、前記バックライトの輝度を制御する手段とを具備したことを特徴とする電子機器装置。
【請求項８】
バックライトを備えた表示装置を有する電子機器において、
ポーズ状態や、メディアへの書き込み動作を検出する手段と、前記検出手段に基づき、前記バックライトの輝度を段階的に制御する手段と、進行状況の把握をする把握手段とを具備したことを特徴とする電子機器。
【請求項９】
バックライトを備えた表示装置を有する電子機器において、
ポーズ状態や、メディアへの書き込み動作を検出する手段と、前記検出手段に基づき、前記バックライトの輝度を制御する手段と、前記バックライトの制御に応じて、映像信号を制御する手段とを具備したことを特徴とする電子機器。
【請求項１０】
バックライトを備えた表示装置を有する電子機器において、
データ転送状態時における、N倍速動作中の動作状況を検出する手段と、前記検出手段に基づき、前記バックライトの輝度を制御する手段とを具備したことを特徴とする電子機器装置。
【請求項１１】
バックライトを備えた表示装置を有する電子機器において、
データ転送状態時における、N倍速動作中の動作状況を検出する手段と、前記検出手段に基づき、前記バックライトの輝度を段階的に制御する手段と、進行状況の把握手段とを具備したことを特徴とする電子機器。
【請求項１２】
バックライトを備えた表示装置を有する電子機器において、
データ転送状態時における、N倍速動作中の動作状況を検出する手段と、前記検出手段に基づき、前記バックライトの輝度を段階的に制御する手段と、前記バックライトの制御に応じて、映像信号を制御する手段とを有することを特徴とする電子機器。
【発明の詳細な説明】
【技術分野】
【０００１】
本発明は、バックライトを備えた表示装置を有する電子機器装置及びバックライト制御方法に関する。
【背景技術】
【０００２】
従来、バックライトを備えた液晶ディスプレイ（ＬＣＤ）を有する情報端末等においては、省電力の観点から、ユーザによる最後の操作があってから一定時間経過するとバックライトの輝度を低下させるようにしている。これは、各種のアプリケーションプログラム毎もしくはその動作状況毎に、入力操作が途絶えた状態を監視すべき監視時間を規定し、規定内容に基づき、入力操作が途絶えた状況の時間を計測し、その経過時間が監視時間に達した場合に、バックライトへ供給する電流の値を下げ、バックライトを低輝度にする技術を開示している。
【０００３】
（例えば、特許文献１参照。）
以下、図５により従来のフローチャートについて説明する。
【０００４】
図５に示されるような定期的監視ルーチンにおいて、ユーザによる入力操作が途絶えた時点からカウントを開始し（ステップＢ１）、この後にユーザによる新たな入力操作があったか否かを判別する（ステップＢ２）。
【０００５】
ユーザによる新たな入力操作がなければ、動作中のアプリケーションプログラム／動作状態を知得し（ステップＢ３）、経過時間（カウント値）を知得し（ステップＢ４）、対応する監視時間を知得する（ステップＢ５）。
【０００６】
そして、経過時間（カウント値）が監視時間を上回っているか否か（監視時間に達しているか否か）を判別し（ステップＢ６）、上回っていなければステップＢ２に戻り、上回っていればバックライトの輝度を低下させるように指示を送り（ステップＢ７）、ステップＢ１に戻る。
【０００７】
一方、ステップＢ２において入力操作があった場合には、カウント値をリセットし（ステップＢ８）、バックライトの輝度の輝度が低下している場合にはその輝度を通常の状態に復旧し（ステップＢ９）、ステップＢ１に戻る。
【０００８】
なお、上記処理ルーチンにおいて、動作中のアプリケーションプログラムにエラーが発生し、ユーザによる復旧処理が求められる場合には、アプリケーションプログラム情報中の監視時間を増加させ、バックライトの輝度が低下するまでの時間を延ばすように制御してもよい。
【特許文献１】特開2002-99248号公報（第７頁、図７）
【発明の開示】
【発明が解決しようとする課題】
【０００９】
本発明は、起動状態、待機状態、ポーズ状態やデータ転送状態において、ユーザーに支障のない動作中の状態でも表示画面は常に一定であるため、省電力として無駄である。また、バッテリーなどを使用する場合はユーザーにとって使用時間などの問題が生じる。
【課題を解決するための手段】
【００１０】
上記課題を解決するために、バックライトを備えた表示装置の起動状態、待機状態、ポーズ状態やデータ転送状態においてユーザーに支障のない動作中のバックライト輝度を制御する手段を備えた構成。
【発明の効果】
【００１１】
本発明は、バックライトを備え、起動状態、待機状態、ポーズ状態やデータ転送状態を有し、動作状態に応じて適切なバックライトの輝度を制御させることができるので、省電力を可能にすることでバッテリーなどの電源使用時における使用時間を向上させることを可能とする。
【発明を実施するための最良の形態】
【００１２】
次に、本発明の詳細を実施例の記述に従って説明する。
【００１３】
以下、本発明を図面を参照して具体的に説明する。図１は、本発明の実施の形態である表示装置を備えたビデオカメラの構成を示すブロック図である。図１において、レンズ部101は、被写体像を入光するためのものであり、撮像素子102は、レンズ101から入光した被写体像を光電変換する。カメラ信号処理部103は、撮像素子102からの出力信号をマトリクス処理することによって輝度信号および色差信号を生成し、ガンマ処理、Ａ／Ｄ変換などの処理が行われる。
【００１４】
表示信号生成部104はカメラ信号処理部103からの信号を所定のフォーマットに変換して画像を表示させるための信号を生成する。
【００１５】
液晶表示部106は表示駆動部106a、液晶106b及び液晶106aの背面から光を照射するための照明光源106cによって構成され、表示駆動部106aは、表示信号生成部104によって生成された信号に基づき画像が表示される。また、表示装置は別に覗くタイプの小型液晶表示部（不図示）も構成されても良い。また、大型液晶106bと小型液晶（不図示）を表示駆動する106aは別々に駆動しても、同時に両方の液晶を駆動しても良い。
【００１６】
制御部107は、カメラ信号処理部103、表示信号生成部104、液晶駆動回路106a、バックライト106c、モード切り替え選択や操作部109などシステムの制御を行う。これらの処理はカメラ信号処理部103がデータを供給してやり、メインＣＰＵが演算処理を行い、絞り駆動回路、レンズ駆動回路、及びＣＣＤ駆動回路、カメラ信号の色処理回路、メディアによる記録再生処理を行い、表示駆動部106a、バックライト106cの点灯などを制御する。また、必要な情報を液晶部に表示もする。尚、ここでは、制御部が全体を制御する場合を例示したが、サブＣＰＵとメインＣＰＵとで分担する構成としても良い。
【００１７】
モード切り替えスイッチ108は、カメラ画（カメラ記録）モードとカード画（静止画記録）と再生モードとカード再生モードの切り替えを行う。
【００１８】
操作部109は、電源スイッチON/OFFの操作状態に応じて各部を制御する。スイッチ操作に基づいて各回路を制御するもので、撮像素子102の駆動制御や露出値、フォーカス、ホワイトバランスなどの制御も行う。
【００１９】
図２は、バックライト制御を行うマイコン処理を示すフローチャートである。起動開始（ステップＳ２１）により起動画面（ステップＳ２２）状態となる。この場合の表示画面は通常黒画面やロゴ表示などで画質に関わる明るさなどは必要とされない。そこで、動作検出（ステップＳ２３）手段により起動画面（ステップＳ２２）状態を認識して、バックライト制御（ステップＳ２４）を行い、バックライトの輝度を低下させる。出画開始（ステップＳ２５）が始まる場合はバックライト制御解除（ステップＳ２６）に進みバックライトの輝度を上げて終了する。出画開始（ステップＳ２５）にならない場合は起動画面（ステップＳ２２）に戻る。このフローチャートでは起動状態での説明となっているが、待機状態、ポーズ状態やデータ転送状態の何れにも同様のことが当てはまる。
【００２０】
図３は、バックライト制御を行うマイコン処理を示す異なるフローチャートである。メディア読み込み開始（ステップＳ３１）により待機画面（ステップＳ３２）状態となる。この場合の表示画面は通常ローディング中などを画面上に表示してバック画面は黒画面などになっているので画質に関わる明るさなどは必要とされない。そこで、動作検出（ステップＳ２３）手段により待機画面（ステップＳ３２）状態を認識して、読み込み状況検出（ステップＳ３３）し、読み出し状況を認識する。読み出し状況検出（ステップＳ３３）の結果に合わせて、進行状況が把握出来るようにバックライト制御（ステップＳ２４）を段階的に行い、バックライトの輝度を変化させる。出画開始（ステップＳ２５）と同時にバックライト制御解除（ステップＳ２６）に進み通常のバックライトの輝度となり終了する。出画開始（ステップＳ２５）にならない場合は待機画面（ステップＳ３２）に戻る。このフローチャートでは待機状態での説明となっているが、起動状態、ポーズ状態やデータ転送状態の何れにも同様のことが当てはまる。
【００２１】
図４は、バックライト制御を行うマイコン処理を示す異なるフローチャートである。データ転送開始（ステップＳ４１）によりＮ倍速書き込み（ステップＳ４２）状態となる。この場合の表示画面は通常書き込み中などを画面上に表示してバック画面は黒画面などになっているので画質に関わる明るさなどは必要とされない。そこで、動作検出（ステップＳ２３）手段により書き込み画面（ステップＳ４２）状態を認識する。動作検出（ステップＳ２３）の結果により、バックライト制御（ステップＳ２４）を行い、バックライトの輝度を低下させる。バックライト制御（ステップＳ２４）を行うと信号レベル制御（ステップＳ４３）で、バックライトの輝度が低下したのを液晶のブライト、コントラスト調整値を補正し画面上の明るさを維持させる。同様に、液晶駆動回路の入力信号を補正しても、また、表示文字の輝度レベルを補正しても同様の効果となる。書き込み終了（ステップＳ４４）と同時にバックライト制御解除（ステップＳ２６）を行い、信号レベル制御解除（ステップＳ４５）に進み終了する。出画開始（ステップＳ２５）にならない場合は待機画面（ステップＳ３２）に戻る。書き込み終了（ステップＳ４４）にならない場合はＮ倍速書き込み（ステップＳ４２）に戻る。このフローチャートではデータ転送状態での説明となっているが、起動状態、待機状態やポーズ状態の何れにも同様のことが当てはまる。
【図面の簡単な説明】
【００２２】
【図１】本発明の実施形態を示すブロック図である。
【図２】本発明のフローチャートを示す。
【図３】本発明の異なるフローチャートを示す。
【図４】本発明の異なるフローチャートを示す。
【図５】従来のフローチャートである。
【符号の説明】
【００２３】
１０１  レンズ
１０２  撮像素子
１０３  カメラ信号処理
１０４  表示信号再生部
１０５  記録、再生部
１０６  液晶部
１０６a  液晶駆動回路
１０６b  液晶パネル
１０６c  照明光源
１０７  制御部
１０８  モード切替スイッチ
１０９  操作部
【図１】
2007164080.tif 000003
【図２】
2007164080.tif 000004
【図３】
2007164080.tif 000005
【図４】
2007164080.tif 000006
【図５】
2007164080.tif 000007